(57)【要約】      （修正有）【課題】ロールタイプの簡易な構成で、円筒形ではなく略直方体に折り畳むことができ、カバンや引き出し等に収納しやすい折り畳み式ペンケースを提供する。【解決手段】ロールタイプのペンケースであり、筆記具等を収納する収納部３１ａ〜３１ｃ、３２、３３ａ〜３３ｄ、３４を備えた帯状の本体に、当該本体の一端から順に、畳んだ時に直方体の上面となる上面部１１ｂ、左側面となる左側面部１２ｂ、底面となる底面部１３ｂ、右側面となる右側面部１４ｂが設けられ、各面の内部に芯材４１ａ〜４１ｄが設けられると共に、各面の境目には芯材４１ａ〜４１ｄが設けられていない折り畳み式ペンケースとしている。【選択図】図５
0003223341.tif 000002
【実用新案登録請求の範囲】
【請求項１】
筆記具を収納する収納部を備えた帯状の本体に、前記本体の一端から順に、上面部、第１の側面部、底面部、第２の側面部が設けられ、
前記各面部の内部に芯材が設けられると共に、前記各面部の境目には前記芯材が設けられておらず、
前記本体を前記各面部の境目で折り畳むと、略直方体の形状となることを特徴とする折り畳み式ペンケース。
【請求項２】
第２の側面部に接続して、本体の他端側に押さえ部が設けられ、
前記本体を折り畳むと、前記押さえ部が前記上面部の上に重なることを特徴とする請求項１記載の折り畳み式ペンケース。
【請求項３】
収納部が、本体長手方向に沿って、上面部に３つ、底面部に４つ設けられ、
前記上面部に設けられた収納部は、本体が折り畳まれた状態で、前記底面部に設けられた収納部の間に重なる位置に設けられていることを特徴とする請求項１又は２記載の折り畳み式ペンケース。
【請求項４】
本体において、収納部が設けられた辺に対向する辺に沿って、当該辺に固定されたフラップが設けられたことを特徴とする請求項１乃至３のいずれか記載の折り畳み式ペンケース。
【請求項５】
押さえ部の先端部に設けられた第１の固定部と、第１の側面部に設けられた第２の固定部とを備え、
本体が折り畳まれた状態で、前記第１の固定部と前記第２の固定部とが係合して、前記押さえ部の先端を前記第１の側面部に固定することを特徴とする請求項２乃至４のいずれか記載の折り畳み式ペンケース。
【考案の詳細な説明】
【技術分野】
【０００１】
本考案は、ロールタイプのペンケースに係り、特に、円筒形ではなく略直方体形状に折り畳むことができ、カバンや引き出し等への収納を容易にすることができる折り畳み式ペンケースに関する。
【背景技術】
【０００２】
［先行技術の説明］
従来、一枚の帯状の収納部にペンや筆などの筆記具を収納して、端から巻いて閉じるロールタイプのペンケースがあった。
［関連技術］
尚、関連する先行技術文献として、特開２０１５−１１２３６１号公報「巻き取り式筆箱」（特許文献１）、実用新案登録第３１２１４０２号公報「筆巻き」（特許文献２）がある。
【０００３】
特許文献１には、巻き取り機構を有するケースを備え、帯状の収納部が、巻き取り式メジャーのようにケース本体に巻き取られる筆箱が記載されている。
特許文献２には、すだれ状の毛筆収納用品が記載されている。
【先行技術文献】
【特許文献】
【０００４】
【特許文献１】特開２０１５−１１２３６１号公報
【特許文献２】実用新案登録第３１２１４０２号公報
【考案の概要】
【考案が解決しようとする課題】
【０００５】
しかしながら、従来のロールタイプのペンケースは、巻いたときに円筒形状になるものが多く、かさばって、カバンや引き出しに収納しにくいという問題点があった。
【０００６】
特許文献１の筆箱は、帯状の収納部が直方体形状のケースに巻き取られるため、収納部がケースに格納された状態では略直方体形状となるものの、収納部を広げた時にもケースはそのままの形状であるため、全体として平面状にならず、ケースがかさばって邪魔であるという問題点があった。
【０００７】
また、特許文献１及び特許文献２には、使用時には平面状に広げることができ、丸めた時には略直方体に折り畳むことができるペンケースは記載されていない。
【０００８】
本考案は上記実状に鑑みて為されたものであり、ロールタイプの簡易な構成で、円筒形ではなく略直方体に折り畳むことができ、カバンや引き出し等に収納しやすい折り畳み式ペンケースを提供することを目的とする。
【課題を解決するための手段】
【０００９】
上記従来例の問題点を解決するための本考案は、折り畳み式ペンケースであって、筆記具を収納する収納部を備えた帯状の本体に、本体の一端から順に、上面部、第１の側面部、底面部、第２の側面部が設けられ、各面部の内部に芯材が設けられると共に、各面部の境目には芯材が設けられておらず、本体を各面部の境目で折り畳むと、略直方体の形状となることを特徴としている。
【００１０】
また、本考案は、上記折り畳み式ペンケースにおいて、第２の側面部に接続して、本体の他端側に押さえ部が設けられ、本体を折り畳むと、押さえ部が上面部の上に重なることを特徴としている。
【００１１】
また、本考案は、上記折り畳み式ペンケースにおいて、収納部が、本体長手方向に沿って、上面部に３つ、底面部に４つ設けられ、上面部に設けられた収納部は、本体が折り畳まれた状態で、底面部に設けられた収納部の間に重なる位置に設けられていることを特徴としている。
【００１２】
また、本考案は、上記折り畳み式ペンケースにおいて、本体において、収納部が設けられた辺に対向する辺に沿って、当該辺に固定されたフラップが設けられたことを特徴としている。
【００１３】
また、本考案は、上記折り畳み式ペンケースにおいて、押さえ部の先端部に設けられた第１の固定部と、第１の側面部に設けられた第２の固定部とを備え、本体が折り畳まれた状態で、第１の固定部と第２の固定部とが係合して、押さえ部の先端を第１の側面部に固定することを特徴としている。
【考案の効果】
【００１４】
本考案によれば、筆記具を収納する収納部を備えた帯状の本体に、本体の一端から順に、上面部、第１の側面部、底面部、第２の側面部が設けられ、各面部の内部に芯材が設けられると共に、各面部の境目には芯材が設けられておらず、本体を各面部の境目で折り畳むと、略直方体の形状となる折り畳み式ペンケースとしているので、本体を折り畳むと、芯材が設けられていない位置で折り曲げられて、略直方体形状とすることができ、略円筒形状に丸めるものと比べてかさばらず、カバンや引き出し等の隙間にも収納しやすい効果がある。
【００１５】
また、本考案によれば、第２の側面部に接続して、本体の他端側に押さえ部が設けられ、本体を折り畳むと、押さえ部が上面部の上に重なる上記折り畳み式ペンケースとしているので、箱型に折り畳まれた本体の上面部を、当該上面部が開く方向とは反対の方向から押さえることができ、意図せずに解けてしまうのを防ぎ、略直方体形状を保持することができる効果がある。
【００１６】
また、本考案によれば、収納部が、本体長手方向に沿って、上面部に３つ、底面部に４つ設けられ、上面部に設けられた収納部は、本体が折り畳まれた状態で、底面部に設けられた収納部の間に重なる位置に設けられている上記折り畳み式ペンケースとしているので、本体を折り畳んだ場合に、底面部の４つの収納部の間に、上面部の３つの収納部が収まるため、全体として厚み（高さ）を抑えて薄型とすることができる効果がある。
【００１７】
また、本考案によれば、本体において、収納部が設けられた辺に対向する辺に沿って、当該辺に固定されたフラップが設けられた上記折り畳み式ペンケースとしているので、収納物品が互いに擦れて傷んだり、本体を折り畳んだ際に開放となる面から落下するのを防ぐことができる効果がある。
【００１８】
また、本考案によれば、押さえ部の先端部に設けられた第１の固定部と、第１の側面部に設けられた第２の固定部とを備え、本体が折り畳まれた状態で、第１の固定部と第２の固定部とが係合して、押さえ部の先端を第１の側面部に固定する上記折り畳み式ペンケースとしているので、紐を巻き付けて固定するものに比べて、簡単に固定することができる効果がある。
【図面の簡単な説明】
【００１９】
【図１】本ペンケースの斜視図である。
【図２】本ペンケースの平面図である。
【図３】本ペンケースの左側面図である。
【図４】本ペンケースの本体外側の構成を示す説明図である。
【図５】本ペンケースの本体内側の構成を示す説明図である。
【図６】本ペンケースの断面説明図である。
【考案を実施するための形態】
【００２０】
本考案の実施の形態について図面を参照しながら説明する。
［実施の形態の概要］
本考案の実施の形態に係る折り畳み式ペンケース（本ペンケース）は、ロールタイプのペンケースであり、筆記具を収納する収納部を備えた帯状の本体に、当該本体の一端から順に、畳んだ時に直方体の上面となる上面部、第１の側面となる第１の側面部、底面となる底面部、第２の側面となる第２の側面部が設けられ、各面部の内部に芯材が設けられると共に、各面部の境目には芯材が設けられていない構成であり、本体を、底面部を中心にして折り畳むと、芯材が設けられていない位置で折り曲げられ、全体として略直方体形状に折り畳むことができ、円筒形状に丸めるものと比べてかさばらず、カバンや引き出しの隙間にも収納しやすいものである。
【００２１】
また、本ペンケースは、帯状の本体において、上面部とは反対の端部に設けられた押さえ部と、押さえ部の先端部を本体に固定する固定部とを備え、本体を底面部を中心として折り畳むと、押さえ部が上面部の上に重なり、押さえ部の先端部を本体上に固定することができ、ロールタイプのペンケースでよく用いられるひも状の固定具で巻いて固定するものと比べて、容易に本体を固定することができるものである。
【００２２】
［本ペンケースの外観：図１〜図３］
本ペンケースの外観について図１〜図３を用いて説明する。図１は、本ペンケースの斜視図である。また、図２は、本ペンケースの平面図であり、図３は、本ペンケースの左側面図である。
図１では、本ペンケースを折り畳んだ状態を示しており、全体として略直方体形状となっている。
【００２３】
具体的には、本ペンケースの帯状の本体が、底面部分を中心として折りたたまれて、図１に示すように、直方体の長手方向の端面を除く４つの面が形成されて、最後に押さえ部１５が被せられた形状となっている。
このような形状にすることで、円筒形に丸めたペンケースに比べて厚みを薄くすることができ、持ち運びを容易にし、またカバンや引き出しの隙間にも収まりやすくなるものである。
【００２４】
また、図２，３に示すように、押さえ部１５は、先端が三角形状となるよう形成され、本体の上面部１１の上に被せられて、固定部１８によって本体の左側面部１２に固定されている。
押さえ部１５の代わりに、従来のロールタイプのペンケースのように紐状の固定用具を備えてもよいが、押さえ部１５を備えることで本体を簡単に固定できるものである。
固定部１８を外して広げれば、本ペンケースは一枚の帯状の形状になる。
【００２５】
［本体外側の構成：図４］
本ペンケースの具体的な構成について説明する。
まず、本ペンケースの本体外側の構成について図４を用いて説明する。図４は、本ペンケースの本体外側の構成を示す説明図である。
図４に示すように、本ペンケースの外側は、全体が外側生地１０で形成され、図４の右側から順に、上面部１１ａ、左側面部１２ａ、底面部１３ａ、右側面部１４ａ、押さえ部１５ａが設けられている。
【００２６】
これらの各面は、本体を右端から順次折り畳んだ場合に、直方体の上面、左側面、底面、右側面になる部分であり、押さえ部１５ａは上面部１１ａ及び左側面部１２ａに重ねられるものである。
【００２７】
尚、外側生地１０は、本体外側面を形成する生地材全体を指しており、デザインによって、全体が同一種類の生地で形成されていてもよいし、複数種類の生地で形成されていてもよい。
図４では、上面部１１ａ、左側面部１２ａ、底面部１３ａ部分の生地と、右側面部１４ａ、押さえ部１５ａ部分の生地とを異なるものとしており、図１〜３に示したように、押さえ部１５を上面部１１に被せた際に、配色を楽しめるものとなっている。
【００２８】
更に、本体外側の底面部１３ａには、外側ポケット１７が設けられている。
また、左側面部１２ａの中央付近には固定部１８に含まれるマグネットホック（メス）１８ｂが設けられ、押さえ部１５ａの先端付近には、固定部１８に含まれるマグネットホックカバー１８ｃが設けられている。マグネットホック（メス）１８ｂは、第２の固定部に相当している。
尚、マグネットホックカバー１８ｃは、後述するマグネットホック（オス）１８ａの背面部と接合している。
【００２９】
［本体内側の構成：図５］
次に、本ペンケースの本体内側の構成について図５を用いて説明する。図５は、本ペンケースの本体内側の構成を示す説明図である。
図５に示すように、本ペンケースの内側は、全体が内側生地２０で形成され、本体外側と同様に、図５の左側から順に、上面部１１ｂ、左側面部１２ｂ、底面部１３ｂ、右側面部１４ｂ、押さえ部１５ｂが設けられている。
これらの各面は、本体を折り畳んだ場合に、略直方体形状の上面、左側面、底面、右側面になる部分である。
内側生地２０は、本体内側を形成する生地全体をさしており、デザインによって、全体が同一種類の生地で形成されていてもよいし、複数種類の生地で形成されていてもよい。
【００３０】
尚、ここでは説明をわかりやすくするために、本体の外側と内側の構成に分けて説明しているが、実際には外側と内側とを合わせた構成となっている。
つまり、上面部１１ａと上面部１１ｂとを合わせた構成（上面部１１とする）が、請求項に記載した上面部に相当しており、同様に、左側面部１２ａと１２ｂとを合わせた構成（左側面部１２）、底面部１３ａと１３ｂとを合わせた構成（底面部１３）、右側面部１４ａと１４ｂとを合わせた構成（右側面部１４）、押さえ部１５ａと１５ｂを合わせた構成（押さえ部１５）が、それぞれ、請求項に記載した左側面部、底面部、右側面部、押さえ部に相当している。
【００３１】
押さえ部１５ｂの先端部には、固定部１８に含まれるマグネットホック（オス）１８ａが設けられている。
マグネットホック（オス）１８ａの背面部は、本体を貫通して、図４に示した押さえ部１５のマグネットホックカバー１８ｃに固定されている。
また、マグネットホック（オス）１８ａは、図４に示した左側面部１２のマグネットホック（メス）１８ｂと係合する。
マグネットホック（オス）１８ａは、請求項に記載した第１の固定部に相当している。
【００３２】
そして、内側生地２０の一部を覆うよう、収納部用生地３０が設けられている。
図５の例では、収納部用生地３０は、本体の左辺から右側面部１４ｂの右辺（押さえ部１５ｂの左辺）に亘って設けられている。
【００３３】
収納部用生地３０は、ペン等を収納する収納部３１（３１ａ〜３１ｃ）、３２、３３（３３ａ〜３３ｄ）、３４を形成する部材であり、収納部用生地３０の長さ（図５の左右方向の長さ）は、本体の左辺から右側面部１４ｂの右辺までの長さ（Ｌ）に比べて、長く形成されている。
これにより、収納部を立体的に形成することができ、筆記具の保持に適した形状とすることができるものである。
【００３４】
収納部用生地３０は、図５の左辺、下辺、右辺が本体に縫い付けられ、更に、各収納部３１〜３４を分離するためのステッチが施され、細長いポケット状の収納部３１〜３４が形成されている。
ここで、上面部１１ｂに設けられた３つの収納部３１ａ，３１ｂ，３１ｃと、底面部１３ｂに設けられた４つの収納部３３ａ，３３ｂ，３３ｃ，３３ｄについては、収納部用生地３０を撓ませた状態でステッチを施すことで、立体的な形状に形成されている。
【００３５】
収納部３１ａ，３１ｂ，３１ｃは、太めの筆記具の収納に適しており、収納部３３ａ，３３ｂ，３３ｃ，３３ｄはそれよりも細めの筆記部の収納に適している。
左側面部１２ｂの収納部３２と、右側面部の収納部３３については、マチは設けられておらず、平面的に形成されている。収納部３２及び３３は、定規や紙片等の厚みが薄い物品の収納に適している。
【００３６】
そして、本ペンケースでは、本体を折り畳んだ場合に、上面部１１ｂの３つの収納部３１が、それぞれ、底面部１３ｂの４つの収納部３３の間に位置するように形成されている。
具体的には、収納部３１ａは、収納部３３cと３３ｄとの間に収まり、収納部３１ｂは、収納部３３ｂと３３ｃとの間に収まり、収納部３１ｃは、収納部３３ａと３３ｂとの間に収まるように形成されている。
【００３７】
これにより、本体を折り畳んだ際に、上面部１１ｂと底面部１３ｂに収納されたペン同士が互いに隙間に入り込むように重なるため、畳んだ状態での厚みを抑えることができ、よりコンパクトにしてカバンや引き出しの隙間にも収納しやすくなるものである。
【００３８】
更に、図５の上辺には、収納部３１〜３３にペン等を収納した場合に、収納部３１〜３３の上端から露出するペン等を覆うフラップ２６が設けられている。フラップ２６は、図５の上側の辺のみが本体に固定されている。
フラップ２６を被せることで、上面部１１ｂの収納部３１と、底面部１３ｂの収納部３３に収納されたペン同士がぶつかったり擦れたりして傷むのを防ぎ、また、持ち運び時に落下するのを防ぐことができるものである。
【００３９】
また、底面部１３ｂにおいて、収納部３３と反対側（図５の上辺側）には、ポケット２７が設けられている。
ポケット２７には、マチが形成されており、厚みのある物品、例えば消しゴムや小型の鉛筆削り等を収納することができるものである。
ポケット２７の挿入口もフラップ２６によって覆われるので、収納された物品が落下するのを防ぐことができる。
【００４０】
更に、右側面部１４ｂの上端部には、小フラップ２８が設けられている。
小フラップ２８は、収納部３４に定規等を収納した場合に先端部を保護すると共に、紙片等を挟んで保持することができるものである。小フラップ２８は、図５の上側の辺と、押さえ部に接続する右側の辺が固定されている。
【００４１】
また、フラップ２６を上面部１１ｂ〜右側面部１４ｂまで連続して設けるのに比べて、小フラップ２８を別にすることで、底面部１３ｂと右側面部１４ｂの間の折れ曲がりを容易にし、シャープな直方体に近づけることができるものである。
【００４２】
そして、本ペンケースの特徴として、本体内部に、面毎に芯材４１が設けられている。
具体的には、上面部１１ｂの内部には芯材４１ａが設けられ、左側面部１２ｂの内部には芯材４１ｂが設けられ、底面部１３ｂの内部には芯材４１ｃが設けられ、右側面部１４ｂの内部には芯材４１ｄが設けられている。芯材４１はポリプロピレン（Polypropylene；PP）等により形成される。
各面の境目に相当する部分には、芯材は設けられていない。
【００４３】
これにより、本ペンケースは、芯材４１ａ〜４１ｄが設けられている各面内は平面形状を維持することができると共に、芯材４１ａ〜４１ｄが設けられていない各面の境目では折り曲げ可能となるものである。
【００４４】
そのため、本ペンケースを、底面部１３を中心として、図５の両端から折り畳んだ場合に、左側面部１２が立ち上がって、上面部１１が左側から底面部１３ｂに被さり、右側面部１４ｂが立ち上がって、押さえ部１５ｂが右側から底面部１３ｂ及び上面部１１に被さることになり、全体として略直方体の形状が形成されるものである。
【００４５】
尚、本体が略直方体状に折りたたまれた状態において、略直方体の長辺側の端面部分には、面は形成されず開放となっているが、図５の下側には収納部３１〜３４が設けられ、上側にはフラップ２６及び小フラップ２８が設けられているため、収納された筆記具や物品が落下するのを防ぐことができるものである。
【００４６】
更に、押さえ部１５ｂの先端部の内部には、芯材４１ｅが設けられており、頻繁に操作する部分を補強するようになっている。
【００４７】
［本ペンケースの断面：図６］
次に、本ペンケースの断面の形状について図６を用いて説明する。図６は、本ペンケースの断面説明図である。図６では、本ペンケースを開いた状態を示している。
図６に示すように、本ペンケースを開いた状態では、外側生地１０、上側に内側生地２０、更にその上に収納部用生地３０が設けられている。
そして、外側生地１０と内側生地２０との間に、内側生地２０のすぐ下に、本体全体に亘ってクッション材４２が設けられ、更にクッション材４２と外側生地１０との間に、芯材４１ａ，４１ｂ，４１ｃ，４１ｄ，４１ｅ（芯材４１とする）が設けられている。
【００４８】
芯材４１が設けられている位置は、上述したように、上面部１１ｂ、左側面部１２ｂ、底面部１３ｂ、右側面部１４ｂの内部と、押さえ部１５ｂの先端の三角形部分である。
各面の境目付近には、芯材４１は設けられていない
また、上述したように、上面部１１ｂの収納部３１ａ，３１ｂ，３１ｃは、底面部１３ｂの収納部３３ａ，３３ｂ，３３ｃ，３３ｄの間の谷間部分に収まるように形成されている。
【００４９】
本ペンケースの製造時には、外側生地１０に外側ポケット１７、マグネットホック（メス）１８ｂを取り付けて外側構成部とし、内側生地２０に収納部用生地３０を取り付けて収納部３１〜３４を形成し、ポケット２７、フラップ２６、小フラップ２８を取り付けて内側構成部としておく。
そして、外側構成部の上に芯材４１を所定の位置に搭載し、その上にクッション材４２を搭載し、更に内側構成部材を載せて、全体をステッチ掛けで固定する。
その後、マグネットホック（オス）１８ａ及びマグネットホックカバー１８ｃを取り付ける。
このようにして、本ペンケースが製造されるものである。
【００５０】
［実施の形態の効果］
本ペンケースによれば、ロールタイプのペンケースであり、筆記具等を収納する収納部３１〜３４を備えた帯状の本体に、当該本体の一端から順に、畳んだ時に直方体の上面となる上面部１１、左側面となる左側面部１２、底面となる底面部１３、右側面となる右側面部１４が設けられ、各面の内部に芯材４１が設けられると共に、各面の境目には芯材４１が設けられていない構成であり、本体を底面部１３を中心にして折り畳むと、芯材４１が設けられていない位置で折り曲げられると共に、芯材４１が設けられた面は平面形状を保持して、全体として略直方体形状に折り畳むことができ、円筒形状に丸める場合と比べてかさばらず、特に高さを低く（厚みを薄く）することができ、カバンや引き出しの隙間にも収納しやすくすることができる効果がある。
【００５１】
また、本ペンケースによれば、帯状の本体において、上面部１１とは反対の端部に設けられた押さえ部１５と、押さえ部１５の先端部を本体に固定する固定部１８とを備え、本体を底面部１３を中心として折り畳むと、押さえ部１５が上面部１１及び左側面部１２の上に重なり、押さえ部１５の先端部を左側面部１２上に固定することができ、ロールタイプのペンケースでよく用いられるひも状の固定具で巻いて固定するものと比べて、容易に本体を固定することができる効果がある。
【００５２】
尚、上述した例では、押さえ部１５は、右側面部１４に連続して一体に形成されているものとしたが、別の部材として形成し、右側面部１４と押さえ部１５の長辺とを縫い合わせて形成してもよい。
【００５３】
また、本ペンケースによれば、上面部１１ｂに設けられた収納部３１ａ，３１ｂ，３１ｃが、底面部１３ｂに設けられた収納部３３ａ，３３ｂ，３３ｃ，３３ｄの間に収まるように形成されているので、本体が折り畳まれた場合には、上面部１１ｂに収納された筆記具と、底面部２３に収納された筆記具とが互いに間に入り込むように重なるため、全体の厚みを抑えることができる効果がある。
【００５４】
尚、本ペンケースでは、固定部１８をマグネットホックで構成したが、例えば面ファスナー等の別の部材を用いてもよい。
更に、押さえ部１５を、上面部１１、左側面部１３を押さえて、左側面部１３上で固定するようにしたが、上面部１１上で固定するように構成してもよい。
【産業上の利用可能性】
【００５５】
本考案は、ロールタイプの簡易な構成で、円筒形ではなく略直方体に折り畳むことができ、カバンや引き出し等に収納しやすい折り畳み式ペンケースに適している。
【符号の説明】
【００５６】
１０…外側生地，  １１，１１ａ，１１ｂ…上面部、  １２，１２ａ，１２ｂ…左側面部、  １３，１３ａ，１３ｂ…底面部、  １４，１４ａ，１４ｂ…右側面部、  １５，１５ａ，１５ｂ…押さえ部、  １７…外側ポケット、  １８…固定部、  １８ａ…マグネットホック（オス）、  １８ｂ…マグネットホック（メス）、  １８ｃ…マグネットホックカバー、  ２０…内側生地、  ２６…フラップ、  ２７…ポケット、  ２８…小フラップ、  ３０…収納部用生地、  ３１ａ，３１ｂ，３１ｃ，３２，３３ａ，３３ｂ，３３ｃ，３３ｄ，３４…収納部、  ４１ａ，４１ｂ，４１ｃ，４１ｄ，４１ｅ…芯材、  ４２…クッション材
【図１】
0003223341.tif 000003
【図２】
0003223341.tif 000004
【図３】
0003223341.tif 000005
【図４】
0003223341.tif 000006
【図５】
0003223341.tif 000007
【図６】
0003223341.tif 000008